(57)【特許請求の範囲】
【請求項１】
上下に貫通する流体孔を持つ外蓋が外受け枠に蝶番金具を介して開閉自在とされ、前記外受け枠の内側下部に内蓋受け枠が着脱自在に載置され、該内蓋受け枠の上側に弁口を持つ内蓋が着脱自在に載置され、該内蓋の弁口に臨んで該内蓋の下面に自動弁が設けられた、地下施設の蓋装置において、
前記内蓋の中央部には急傾斜の中央山部が設けられ、
前記内蓋の弁口は、該内蓋の外周またはその付近から内蓋の中央山部の近くまでにわたり、かつ、内周方向に隣り合う弁口の近くまでにわたり、複数個がほぼ等間隔で設けられており、
前記自動弁の弁蓋は、前記弁口を上下に通過できるよう弁口より僅かに小さくされ、かつ、内蓋の中央側で回動自在に支持され、該弁蓋の回動自在側にはアームを介して重りが取り付けられ、常時は前記弁蓋が閉鎖されているように構成され、
前記弁蓋の上方への開放角度を規制するように、前記内蓋の中央山部近くにはストッパが設けられ、
前記外蓋が前記外受け枠の内側に張り出した係合棚部の中央に蝶番金具を介して取り付けられ、前記係合棚部に固定部が着脱可能に取り付けられ、該固定部に支点ピンと長孔を介して手掛け兼転落防止具が起伏可能に取り付けられ、前記内蓋受け枠の前記係合棚部の直下に位置する部分は、外円周面の上面から下方中途に至る部分で、円弧部分で切り欠かれて円弧切欠が形成されていることを特徴とする地下施設の蓋装置。
【請求項２】
上下に貫通する流体孔を持つ外蓋が外受け枠に蝶番金具を介して開閉自在とされ、前記外受け枠の内側下部に内蓋受け枠が着脱自在に載置され、該内蓋受け枠の上側に弁口を持つ内蓋が着脱自在に載置され、該内蓋の弁口に臨んで該内蓋の下面に自動弁が設けられた、地下施設の蓋装置において、
前記内蓋の中央部には水平面に対し約１５〜約７０度の範囲の中央山部が設けられ、
前記内蓋の弁口は、該内蓋の外周またはその付近から内蓋の中央山部の近くまでにわたり、かつ、内周方向に隣り合う弁口の近くまでにわたり、複数個がほぼ等間隔で設けられており、
前記自動弁の弁蓋は、前記弁口を上下に通過できるよう弁口より僅かに小さくされ、かつ、内蓋の中央側で回動自在に支持され、該弁蓋の回動自在側にはアームを介して重りが取り付けられ、常時は前記弁蓋が閉鎖されているように構成され、
前記弁蓋の上方への開放角度を規制するように、前記内蓋の中央山部近くにはストッパが設けられ、
前記外蓋が前記外受け枠の内側に張り出した係合棚部の中央に蝶番金具を介して取り付けられ、前記係合棚部に固定部が着脱可能に取り付けられ、該固定部に支点ピンと長孔を介して手掛け兼転落防止具が起伏可能に取り付けられ、前記内蓋受け枠の前記係合棚部の直下に位置する部分は、外円周面の上面から下方中途に至る部分で、円弧部分で切り欠かれて円弧切欠が形成されていることを特徴とする地下施設の蓋装置。
【請求項３】
前記内蓋受け枠は円筒部と内フランジ部を持ち、前記内蓋受け枠の内フランジ部と前記内蓋のいずれか一方の円周方向に間隔を存して設けられた複数の係合凹部材と、該係合凹部材に融通嵌合させるよういずれか他方に設けられた複数の係合凸部材と、前記内蓋の中央山部の上面に設けられた回動ハンドルとを含むことを特徴とする請求項１または２記載の地下施設の蓋装置。
【発明の詳細な説明】
【０００１】
【産業上の利用分野】
本発明は地下施設の蓋装置に関する。
【０００２】
【従来の技術】
近時において、下水道事業は急速に進展しつつあり、巨大地下施設の管路は各市町村の地下に網目状に張り巡らされている。そしてこれらの管路の保全管理を行う為に道路上の各所にマンホールが設けられている。そして一般にマンホールでは、受け枠が地面に固定され、それに蓋が蝶番金具を介して開閉自在に設けられている。そしてマンホールおよび管路内の圧力上昇を防ぎ、かつ、雨水を流下させるため、蓋には流体孔が設けられている。
【０００３】
しかしながら、蓋の流体孔からマンホール内の悪臭が流れ出る問題がある。また特に、
集中豪雨等で地下管路に大量の雨水が流入し、いわゆるウォーターハンマー現象が起こったとき、マンホール内に急速な圧力上昇が生じ、このためマンホール蓋が飛散する事故が多発している。
【０００４】
本出願人は、先にこの問題を解決した次のような装置を開発した（実公平７−５６３５８号）。即ち、上下に貫通する流体孔を持つ外蓋が外受け枠に蝶番金具を介して開閉自在とされた地下施設の蓋装置において、前記外受け枠の内側下部に内蓋受け枠が載置され、
該内蓋受け枠の上側に弁口を持つ内蓋が載置されて、該内蓋の弁口に臨んで該内蓋の下面に自動弁が設けられる。前記内蓋受け枠と前記内蓋のいずれか一方周縁部の周方向に間隔を存して複数のガイド棒が設けられ、他方にガイド孔が設けられる。
【０００５】
そして、マンホール内に異常な急速揚圧が発生したときには、内蓋のほぼ全面積にわたって圧力がかかるので、その力によって内蓋がガイド棒に案内されて上昇し、外蓋の下面まで上がって止まる。このため内蓋の外周縁および内蓋受け枠の内周縁との間の空間を通って、圧力気体や逆流水は流出し、外蓋の流体孔を通過して外気に出る。
【０００６】
【発明が解決しようとする課題】
しかしながら、なお、次のような問題が生じた。即ち、これらの流体は内蓋下方からほぼ９０度の方向転換して放射状に流出し、外受け枠の内周面と外蓋の下面周縁とで囲まれる隅角部に衝突し、そこから、ほぼ１８０度の方向転換をして求心状に流れ、再びほぼ９０度の上方に方向転換して、外蓋の流体孔からマンホール外へと流出する。
【０００７】
したがって、このような流出に大なる流体抵抗を受け、異常圧の流体の流出に予想以上の時間がかかることが分かった。また、内蓋の上下運動がガイド孔とガイド棒でなされるので、マンホール敷設後、長期間がたつに従い、上下の動きが円滑にできない問題も生じた。また、内蓋に堆積物が溜まり易かった。
【０００８】
本発明は前記課題を解決し、マンホール内の臭気の外気への発散を防止し、堆積物の落下を容易にし、かつ、マンホール内の異常昇圧時には直ちに圧力気体を蓋より外に逃すことのできる装置を提供することを目的とする。
【０００９】
【課題を解決するための手段】
上記課題を解決するため、発明の構成は次のとおりとする。即ち、第１構成は、上下に貫通する流体孔を持つ外蓋が外受け枠に蝶番金具を介して開閉自在とされ、前記外受け枠の内側下部に内蓋受け枠が着脱自在に載置され、該内蓋受け枠の上側に弁口を持つ内蓋が着脱自在に載置され、該内蓋の弁口に臨んで該内蓋の下面に自動弁が設けられた、地下施設の蓋装置において、前記内蓋の中央部には急傾斜の中央山部が設けられ、前記内蓋の弁口は、該内蓋の外周またはその付近から内蓋の中央山部の近くまでにわたり、かつ、内周方向に隣り合う弁口の近くまでにわたり、複数個がほぼ等間隔で設けられており、前記自動弁の弁蓋は、前記弁口を上下に通過できるよう弁口より僅かに小さくされ、かつ、内蓋の中央側で回動自在に支持され、該弁蓋の回動自在側にはアームを介して重りが取り付けられ、常時は前記弁蓋が閉鎖されているように構成され、前記弁蓋の上方への開放角度を規制するように、前記内蓋の中央山部近くにはストッパが設けられ、
前記外蓋が前記外受け枠の内側に張り出した係合棚部の中央に蝶番金具を介して取り付けられ、前記係合棚部に固定部が着脱可能に取り付けられ、該固定部に支点ピンと長孔を介して手掛け兼転落防止具が起伏可能に取り付けられ、前記内蓋受け枠の前記係合棚部の直下に位置する部分は、外円周面の上面から下方中途に至る部分で、円弧部分で切り欠かれて円弧切欠が形成されていることである。
【００１０】
第２構成は、上下に貫通する流体孔を持つ外蓋が外受け枠に蝶番金具を介して開閉自在とされ、前記外受け枠の内側下部に内蓋受け枠が着脱自在に載置され、該内蓋受け枠の上側に弁口を持つ内蓋が着脱自在に載置され、該内蓋の弁口に臨んで該内蓋の下面に自動弁が設けられた、地下施設の蓋装置において、前記内蓋の中央部には水平面に対し約１５〜約７０度の範囲の中央山部が設けられ、前記内蓋の弁口は、該内蓋の外周またはその付近から内蓋の中央山部の近くまでにわたり、かつ、内周方向に隣り合う弁口の近くまでにわたり、複数個がほぼ等間隔で設けられており、前記自動弁の弁蓋は、前記弁口を上下に通過できるよう弁口より僅かに小さくされ、かつ、内蓋の中央側で回動自在に支持され、該弁蓋の回動自在側にはアームを介して重りが取り付けられ、常時は前記弁蓋が閉鎖されているように構成され、前記弁蓋の上方への開放角度を規制するように、前記内蓋の中央山部近くにはストッパが設けられ、
前記外蓋が前記外受け枠の内側に張り出した係合棚部の中央に蝶番金具を介して取り付けられ、前記係合棚部に固定部が着脱可能に取り付けられ、該固定部に支点ピンと長孔を介して手掛け兼転落防止具が起伏可能に取り付けられ、前記内蓋受け枠の前記係合棚部の直下に位置する部分は、外円周面の上面から下方中途に至る部分で、円弧部分で切り欠かれて円弧切欠が形成されていることである。
【００１１】
第３構成は、第１または第２構成に加え、前記内蓋受け枠は円筒部と内フランジ部を持ち、前記内蓋受け枠の内フランジ部と前記内蓋のいずれか一方の円周方向に間隔を存して設けられた複数の係合凹部材と、該係合凹部材に融通嵌合させるよういずれか他方に設けられた複数の係合凸部材と、前記内蓋の中央山部の上面に設けられた回動ハンドルとを含むことである。
【００１３】
【発明の実施の形態】
以下に本発明の実施態様を図面に示す一実施例にもとづき説明する。図１，２において、外受け枠１は外形が円環状を呈し、上部内側に蓋を受けるテーパー面部１ａを有し、またそれに連続する１カ所には、内側に張り出した係合棚１ｂが設けられ、その中央に蝶番金具３の貫通孔をもつ。そして下端に外フランジ１ｃと内フランジ１ｄをもつ。外蓋２は円形であり、上下に貫通する多数の長孔からなる流体孔２ａが設けられている。公知の蝶番金具３はく字状棒を呈し、その上端は外蓋１にピン結合されて、中途が係合棚１ｂの孔を貫通し、下端に抜け止め部をもつ。
【００１４】
さてここで、前記外受け枠１の内フランジ部１ｄに内蓋受け枠４が載置される。即ち、
図３，４において、内蓋受け枠４は外形が円環を呈し、上から下に順に短円筒部４ａ、および内フランジ部４ｂからなる。短円筒部４ａは上方に広くなり、その上端から半径方向外向きに舌片４ｃが円周方向等間隔に３個設けられ、これらと同じ半径方向位置の内フランジ部４ｂの上面には、次記内蓋５が右回りに回動されたとき、その係合凸部材５ｃが嵌合するような係合凹部材４ｄが設けられる。そして、この係合凹部材４ｄの１つの開口の直前の内フランジ部４ｂには、止め孔４ｅが上下に貫通して設けられる。そして、これに止めピン８が差し込まれ、係合凸部材５ｃの左回りによる係合凹部材４ｄからの離脱を阻止する。上下に長い止めピン８の上下方向中途には抜止め８ａがあり、それより上側は摘まみ８ｂとなっている。
【００１５】
次に内蓋５は図５，６に示すごとく、円盤を呈し、円周方向に隣り合う弁口の近くまでにわたり、等間隔で４個の矩形状断面の弁口５ａをもつ。これらの弁口は、該内蓋の外周よりも内側から内蓋の中央部分との間に位置する。そして、弁口の内蓋の中心側の下面にブラケット５ｂが設けられる。また３個の係合凸部材５ｃが外周縁部で円周方向等間隔、
かつ、半径方向外側へ突出して設けられ、これが前記内蓋受け枠４の内フランジ部４ｄ上に乗せられた状態で、内蓋５が右回りに回動されたとき、前記係合凸部材５ｃは係合凹部材４ｄに融通嵌合する。内蓋５の上面は、中心から半径方向外方に順に最高円平面部５ｄ、テーパー円環面部５ｅ（これらの面部５ｄと５ｅとで中央山部５１が形成される）および最低円環平面部５ｆからなる。そして、前記弁口５ａは最低円環平面部５ｆで、外周近くから前記テーパー円環面部５ｅの近くまでの間に開口している。
【００１６】
前記内蓋５の弁口５ａに臨んで自動弁６が設けられる。即ち、弁口５ａをほぼふさぐ大きさの矩形板状弁蓋６ａの一辺に、アーム６ｂを介して下方へ垂下した重り６ｃが設けられて、それらの境界部に回動軸６ｄが設けられている。そして、この回動軸６ｄはブラケット５ｂに支持される。前記弁蓋６ａは、前記弁口５ａを上下に通過できるよう、弁口より僅かに小さくされ、重り６ｃとのバランスにより、常時は前記弁口５ａが閉鎖されているように構成される。
【００１７】
前記弁蓋６ａの上方への開放角度を規制するように、前記内蓋の最低円環平面部５ｆでテーパー円環面部５ｅに近接してストッパ７が設けられている。前記内蓋中央部に位置する最高円平面部５ｄ上面に回動ハンドル５ｄが設けられる。
【００１８】
前記係合棚部１ｂに固定部１０ａが着脱可能に取り付けられ、該固定部に支点ピンと長孔を介して梯子状可動部１０ｂが起伏可能に取り付けられ、これにより手掛け兼転落防止具１０が構成される。そして、前記内蓋受け枠４の前記係合棚部１ｂの直下に位置する部分は、外円周面の上面から下方中途に至る部分で、円弧部分で切り欠かれて円弧切欠４ｆが設けられている。
【００１９】
次に以上において作動状態を説明する。晴天曇天等の通常時において、自動弁６の弁蓋６ａは弁口５ａをふさいでいるので、マンホール内の臭気は内蓋５によって遮られ、それより上方に抜けることはなく、防臭効果がある。次に雨天時の場合、雨水や雨水とともに土砂が外蓋流体孔２ａを通ってマンホール内に入った場合、自動弁の弁蓋６ａの上に直接落下したものは、その自重により弁蓋６ａを下方に押しやって弁口５ａを開き、下方に落下する。また、内蓋５の中央付近に溜まった雨水や土砂等は、テーパー面部５ｅの傾斜に沿って弁口５ａに流動して落下する。ここで、弁蓋６ａが下方に大きく開いたときには、
アーム６ｂ，重り６ｃは前記内蓋５のテーパー円環面部５ｅの内側まで回動する。
【００２０】
次にマンホール内の圧力が中小程度上がったときは、その流体が弁蓋６ａを下から上に押しやって弁口５ａを開き、内蓋５から出て外蓋２の流体孔２ａを通過し、外気に流出する。次にマンホール内に異常な急速揚圧が発生したときには、内蓋５のほぼ全面積にわたって圧力がかかるので、その力によって弁蓋６ａが瞬時に回動軸６ｄを中心に上方に回動して弁口５ａを開き、ストッパ７に当たって止まる（ほぼ９０度に直立した状態）。このため弁口５ａの合計面積に当たる広い空間を通って、圧力気体は瞬時に上方に流出し、外蓋２の流体孔２ａを通過して外気に出る。
【００２１】
ここで、内蓋受け枠４に内蓋５を取り付ける時は次のようになされる。手でハンドル５ｇをもって内蓋５をほぼ水平状態に吊持しつつ、内フランジ部４ｂ上に係合凸部材５ｃをのせ、最低円環平面部５ｆを内フランジ部４ｂの内側の孔に嵌まる状態で、右に回す。そうすると、係合凸部材５ｃが係合凹部材４ｄ内に嵌まり、それ以上右には回らず、かつ、
上下にも動かない。その後に、止め孔４ｅに止めピン８を差し込むと、係合凸部材５ｃは左へも回らない。内蓋５を取り外す場合は、前記の逆の手順となる。このように、内蓋５の着脱が極めて迅速容易となる。
【００２２】
また、外受け枠１を地面に敷設し、外受け枠１に外蓋２を蝶番金具３で取り付けた後で、内蓋受け枠４を外受け枠１に取り付けるには、次のようになる。外蓋２を上方に開放し、内蓋受け４を円弧切欠４ｆを下側にしてほぼ鉛直状態に保持し、このまま外受け枠１の直径部を通過して下方に侵入させ、ほぼ半分が入ったとき、内蓋受け４をほぼ水平状態に戻す。このとき円弧切欠４ｆがあるので、係合棚１ｂ，蝶番金具３に妨げられることはない。そして、舌片４ｃを内フランジ１ｄに載せ、ボルト９で内フランジ１ｄに固定される。
【００２３】
なおここで、前記内蓋５の中央山部５１は前記実施例では最高円平面部５ｄおよびテーパー円環面部５ｅからなり、テーパー円環面部５ｅの水平面に対する傾斜角は４０度（従来のものは約５度であった）である。しかし、中央山部５１は最高円平面部５ｄのない三角山状（円錐状）や、半球殻状，半楕円殻状などのものも適用される。また、中央山部５１の水平面に対する傾斜角は、土砂などの堆積物の滑落が容易となるよう、約１５度から約７０度の範囲の急傾斜とすることが適当であり、更に３０度から５０度が好ましい。また、図８に示すように、内蓋５の弁口５ａは、内蓋５の外周を切り欠いて中央山部５１の近くまで開口されたものも発明に含まれる。この場合、弁蓋６ａの一辺は弁口５ａを塞ぐ円弧を呈する。
【００２４】
本発明は前記した実施例や実施態様に限定されず、実用新案登録請求の範囲を逸脱しない範囲で各種の変形を含む。
【００２５】
【発明の効果】
本発明の構成により、通常時においては自動弁が内蓋の弁口をふさいでいるので、マンホール内の臭気は外気に放散されることがない。また、マンホール内の急速な昇圧現象に対しては、弁蓋が上方に上がることにより大量の気体を外蓋の孔から大気に逃すことができ、蓋の飛散を防止できることとなった。
【図面の簡単な説明】
【図１】  本発明の一実施例の平面図である。
【図２】  図１のＡ−Ａ断面図である。
【図３】  内蓋受け枠の縮小平面図
【図４】  図３のＢ−Ｂ断面図である。
【図５】  内蓋の縮小平面図である。
【図６】  図５のＣ−Ｃ断面図である。
【図７】  外受け枠に手掛け兼転落防止具を倒伏状態にした平面図である。
【図８】  内蓋の他の実施例の平面図である。
【符号の説明】
１  外受け枠
１ｂ  係合棚
１ｃ  外フランジ
１ｄ  内フランジ
２  外蓋
２ａ  流体孔
３  蝶番金具
４  内蓋受け枠
４ａ  短円筒部
４ｂ  内フランジ部
４ｃ  舌片
４ｄ  係合凹部材
４ｅ  止め孔
４ｆ  円弧切欠
５  内蓋
５ａ  弁口
５ｂ  ブラケット
５ｃ  係合凸部材
５ｄ  最高円平面部
５ｅ  テーパー円環面部
５ｆ  最低円環平面部
５ｇ  ハンドル
６  自動弁
６ａ  弁蓋
６ｂ  アーム
６ｃ  重り
６ｄ  回動軸
７  ストッパ
８  止めピン
９  ボルト
１０  手掛け兼転落防止具
１０ａ  固定部
１０ｂ  可動部
【図１】
0003821466.tif 000002
【図２】
0003821466.tif 000003
【図３】
0003821466.tif 000004
【図４】
0003821466.tif 000005
【図５】
0003821466.tif 000006
【図６】
0003821466.tif 000007
【図７】
0003821466.tif 000008
【図８】
0003821466.tif 000009